(57)【要約】  ユーザが行うアクションに関するユーザの動機を初期ユーザによって与えられる情報からの影響に帰属させることができるプラットフォーム及び方法を提供する技法を記載する。本技法は、ユーザの動機についての直接証拠をユーザが明確に提供するための簡単な方法を提供する。更に本技法は、ユーザが活動する特定の脈絡から動機をどのように推論することができるのかに関する極めて高信頼の方法を実証し、ユーザは動機の推論を確認するように促され得る。検索操作を支援してより完全且つ正確な検索結果をもたらすために、ユーザの動機についての指示は初期ユーザによる作成（投稿、テキスト、メッセージ等）にリンクすることもできる。
2021516814.tif 000002
【特許請求の範囲】
【請求項１】
発信者によって作成されるコンテンツ紹介を表示することであって、前記コンテンツ紹介は少なくとも要素を含む、表示すること、
前記コンテンツ紹介の閲覧者が決定を下すために前記コンテンツ紹介に依拠したことを示す感謝の活動を検出すること、及び
前記発信者が決定を下すよう誰かに影響を与えたことを示す情報を記憶すること
を含む、方法。
【請求項２】
前記感謝の活動を検出することは、前記コンテンツ紹介の閲覧者が前記コンテンツ紹介の前記要素に関係する決定を下すために前記コンテンツ紹介に依拠したことを示す感謝イニシエータを検出することを更に含む、請求項１に記載の方法。
【請求項３】
前記閲覧者が決定を下すために前記コンテンツ紹介の影響を受けたという通知を前記発信者に送信することを更に含む、請求項１に記載の方法。
【請求項４】
感謝イニシエータが、コンテンツ紹介ユーザインタフェース内に含まれる感謝アイコンの閲覧者選択を更に含む、請求項１に記載の方法。
【請求項５】
感謝イニシエータが、前記発信者によって作成される前記コンテンツ紹介から新たなコンテンツ紹介を前記閲覧者が作成することを更に含む、請求項１に記載の方法。
【請求項６】
前記閲覧者に関連するコンテンツ紹介のリストに前記コンテンツ紹介を追加することを更に含む、請求項１に記載の方法。
【請求項７】
前記記憶する操作が前記発信者を前記要素に関連付けることを更に含み、前記方法が、
前記発信者に関係する検索クエリを受け付けること、及び
検索結果内に前記要素を含めること
を更に含む、請求項１に記載の方法。
【請求項８】
前記要素が前記コンテンツ紹介の主題である、請求項１に記載の方法。
【請求項９】
前記要素が前記コンテンツ紹介のカテゴリである、請求項１に記載の方法。
【請求項１０】
プロセッサ上で実行されるとき、
発信者によって作成されるコンテンツ紹介内の要素を表示すること、
前記コンテンツ紹介と共に感謝アイコンを表示すること、
前記感謝アイコンが閲覧者によって選択されているという指示を受け付けること、
前記感謝アイコンの選択に関連する情報を記憶することであって、前記情報は前記コンテンツ紹介を提供することに関してユーザが前記発信者に感謝したことを示す、記憶すること、及び
前記コンテンツ紹介、前記要素、前記発信者、及び前記閲覧者をデータベース内で関連付け、それにより前記データベースに対して実行される検索クエリが前記関連付けに基づく結果を返せるようにすること
を実行するプロセッサ実行可能命令を含む、１つ又は複数のコンピュータ可読媒体。
【請求項１１】
前記発信者に関係する検索クエリを受け付け、前記コンテンツ紹介を識別する結果を返すことを更に含む、請求項１０に記載の１つ又は複数のコンピュータ可読媒体。
【請求項１２】
前記要素に関係する検索クエリを受け付け、前記発信者を識別する結果を返すことを更に含む、請求項１０に記載の１つ又は複数のコンピュータ可読媒体。
【請求項１３】
前記要素に対するインフルエンサとして誰かが前記発信者を識別したことを前記発信者に知らせることを更に含む、請求項１５に記載の１つ又は複数のコンピュータ可読媒体。
【請求項１４】
プロセッサと、
メモリと、
ディスプレイと、
前記ディスプレイ上に表示されるコンテンツ紹介ユーザインタフェースであって、感謝アイコンを含む、コンテンツ紹介ユーザインタフェースと、
発信者によって作成され前記メモリ内に記憶され、前記コンテンツ紹介ユーザインタフェースによって表示されるコンテンツ紹介であって、要素を含む、コンテンツ紹介と、
検索可能データベースと、
前記感謝アイコンの選択の指示を受け付け、前記要素と前記発信者との間の関係を前記要素及び前記発信者に関係するデータが識別するように前記データを検索可能データベース内に記憶するように構成される感謝コンポーネントと
を含むシステムであって、
前記要素に関係する検索クエリは前記発信者に対して実行され、前記発信者に関係する検索クエリは前記要素に対して実行される、
システム。
【請求項１５】
前記要素及び前記発信者に対して実行される検索結果が、前記発信者と前記要素との間の前記関係を識別する結果を返す、請求項１４に記載のシステム。
【発明の詳細な説明】
【背景技術】
【０００１】
背景
[0001]  過去数年にわたり、インターネットの検索エンジンの使用は人が自分の関心事を検索する主要な方法の１つになった。この大幅な増加は、エンドユーザが行うアクションの一部を行うようにエンドユーザがどのように動機付けられるのかをインターネットプロバイダ、アプリケーション、オンライン商人、ソーシャルメディアプラットフォーム等の利害関係者が探ることをもたらした。多くのユーザがあらゆる種類の人、場所、事柄等に関する自分の意見を反映する推薦を行うが、レストラン又は演劇をひいきにする、製品を購入する、本を読む等のアクションを行うために他のユーザがその推薦に実際に依拠しているのかどうかを知る方法は非常に少ない。その結果、オンライン「インフルエンサ」の概念が生じ、オンライン「インフルエンサ」とは公衆に推薦を提供するオンラインパーソナリティであり、かかる推薦は特定の人が推薦を行ったことを理由に他の人がアクションを行うことをもたらし得る。そのようなインフルエンサを識別することの概念に関して多くの関心が生じている。しかし、或る人がとてつもないフォロワー数を有すること、所定数の「いいね」又はコメントを得ていること等を理由にその人をインフルエンサだと判定すること等、インフルエンサを識別することは概して推測の域を出ない。しかし、そのような人の推薦が他のユーザによる実際のアクションを本当に駆り立てるという直接証拠はない。
【発明の概要】
【課題を解決するための手段】
【０００２】
概要
[0002]  本明細書に記載の技法は、ユーザが行うアクションに関するユーザの動機を初期ユーザによって与えられる推薦からの影響に帰属させることができるプラットフォーム及び方法を提供する。本技法は、ユーザの動機についての直接証拠をユーザが明確に提供するための簡単な方法を提供する。更に本技法は、ユーザが活動する特定の脈絡から動機をどのように推論することができるのかに関する極めて高信頼の方法を実証し、ユーザは動機の推論を確認するように促され得る。検索操作を支援してより完全且つ正確な検索結果をもたらすために、ユーザの動機についての指示は初期ユーザの作成（投稿、テキスト、メッセージ等）にリンクすることもできる。
【０００３】
図面の簡単な説明
[0003]  以下の詳細な説明は添付図面を参照する。図中、異なる図面内の同じ参照番号の参照使用の先頭の数字は同様の又は同一のアイテムを示す。
【図面の簡単な説明】
【０００４】
【図１】[0004]コンテンツ紹介の一例を示す。
【図２】[0005]本技法の１つ又は複数の部分を実装することができる電子装置の一例を示すブロック図である。
【図３】[0006]本明細書に記載の技法によるサーバの動作環境の一例を示すブロック図である。
【図４】[0007]本明細書に記載の技法と共に利用され得るコンテンツ紹介データベースの一例の図を示す。
【図５】[0008]本明細書に記載の技法と共に利用され得るリストデータベースの一例の図を示す。
【図６】[0009]本明細書で示す１つ又は複数のプロセス、即ち感謝のための方法論的な実装形態の一例を示す流れ図である。
【図７】[00010]感謝プロセスのための方法論的な実装形態の一例を示す流れ図である。
【図８】[00011]自動的に開始される感謝プロセスのための方法論的な実装形態の一例を示す流れ図である。
【発明を実施するための形態】
【０００５】
詳細な説明
[00012]  本明細書及び援用する特許出願に記載の技術は、検索可能コンテンツをもたらすユーザ作成コンテンツ紹介、及びインフルエンサに直接のアトリビューションを与えるための方法に関する。従って、インフルエンサに関係する高信頼のデータ及び誰がインフルエンサであり得るのかに関する決定が提供される。かかるユーザ作成コンテンツ紹介に含まれる情報は、高信頼の検索結果、即ち製品、場所、企業、人等、ユーザの検索内容に直接関係する検索結果を素早く且つ容易に見つけ出すためにユーザが使用可能な効率的な検索プラットフォームのための基礎を提供する。関連情報を見つけ出すのにより少ない検索が必要とされるので、及び検索されるデータセットがインターネット上の事実上全てのもので構成されるデータセットよりも小さいので、これらの技法は検索を実行する際のユーザの時間並びにコンピュータ資源及びネットワーク資源を節約する。コンテンツ紹介からの情報及びコンテンツ紹介に関係するデータは情報のデータベースを作成するために使用することができる。検索可能データベースのコンテンツは識別可能なユーザによって与えられるので、検索される情報が既知の情報源及び／又は高信頼のユーザ群に由来することを理由にデータベースの検索は検索を実行するユーザにとってより関連性のある且つより高信頼の結果を提供する。加えて、ユーザは検索されるデータセットを単一人物（友人又は好きなセレブ等）からの入力又は人の集団（特定の地理的領域内の人々、特定の年齢層の人々等、典型的には少なくとも１つの共通の特性を有する人々の集団）からの入力で構成されるものに限定することができる。
【０００６】
[00013]  更にユーザは、ランク付けされたリスト（本明細書ではパーソナル若しくはグローバル「リスト」又は「トップテンリスト」と呼ぶが、かかるリストは１０個のエントリに限定されず、１０個よりも多い又は少ないエントリを含み得る）についてユーザ作成コンテンツ紹介の主題のランク付けを少なくとも部分的に制御することができる。
【０００７】
[00014]  本明細書では、検索結果内で見つかる項目に対してユーザが直接アクションを行うことができる技法も開示する。例えばユーザが特定の製品又は特定の種類の製品を検索する場合、検索は１つ又は複数の製品を返す可能性が高い。特定の製品を購入するためのサイトに進むアクション等、アクションは製品に関連し得る。又は例えばユーザが特定の近所の又は特定の種類の料理に特化したレストランを検索する場合、ユーザが検索結果内で返されるレストランの予約を取ることができるアクション、レストランの配達を注文することができるアクション等のアクションが利用可能であり得る。他のアクションも含まれ得る。
【０００８】
[00015]  概してユーザは、メディアコンテンツ、コンテンツ紹介のタイトル、コンテンツ紹介が関連する１つ又は複数のカテゴリ、及び事柄、人等に関連する１つ又は複数の評価を入力するための（本明細書では「コンテンツ紹介」と呼ぶ）基本コンテンツ入力ユーザインタフェースから開始する。コンテンツ紹介に複数のカテゴリを関連付けることにより、ユーザはそのコンテンツ紹介が検索で識別される確率を高めることができる。上記の項目（メディアコンテンツ、タイトル、カテゴリ、評価）の１つ又は複数がコンテンツ紹介作成プロセスから省かれてもよいことを指摘しておく。異なる実装形態は、これらの及び同様の項目を更に多く又は少なく必要とし得る。
【０００９】
[00016]  コンテンツ紹介が構成されると、そのコンテンツ紹介はユーザによってユーザフィードに投稿されてもよく、ユーザフィードはユーザの仲間、識別された人々の集団、一般大衆等によって閲覧可能である。他のユーザが作成者のフィード内のコンテンツ紹介についてコメントすることができ、コンテンツ紹介のコンテンツを使用してコンテンツ紹介の少なくとも一部の要素を用いて自分自身の紹介を作成することができる。コンテンツ紹介が作成されると、エントリを保存するためにコンテンツ紹介に対応するレコードが１つ又は複数のデータベース内に作成される。本明細書で予期するように、コンテンツ紹介レコードが検索可能なコンテンツ紹介データベース内に作成される。実装形態に応じて他の種類のレコードが他の種類のデータベース内に作成されてもよい。本明細書に記載の例では、リストのデータベースが維持され、記述名及びカテゴリ等のコンテンツ紹介の特定の要素がその中に記憶される。
【００１０】
[00017]  本明細書に記載のシステム内で実行される検索の検索結果は現在の検索アプリケーションよりも信頼できる。まず、検索アグリゲータがシステムを操作するのを防ぐことができ、従って直接関連性のある検索結果が結果リストの一番上にランク付けされることを可能にする。加えて、ユーザは自らの検索内容についてより適切な理解を有すると自身が見なす母集団の部分集合を検索することができ、従ってユーザが高信頼の結果により素早く（即ちより少ない検索操作によって）到達することが可能になる。例えばユーザは、近隣地域の外部に住む人よりも地元のレストランによく訪れる可能性がある、近隣地域に実際に住む人に地元のレストランに関する検索を限定したい場合がある。又はユーザは、自分がフォローする特定のセレブの推薦を入手するためにそのセレブのトップテンリストを見たい場合がある。
【００１１】
[00018]  本明細書に記載の別の特徴は、購入者に製品又はサービス（又は製品若しくはサービスの販売者）を紹介した人物等、製品又はサービスを購入する購入者の動機の発生源を製品の販売者が突き止めることを可能にする技法である。ユーザは、製品若しくはサービスを購入し又は製品若しくはサービスへの関心を切り開くために頼りにした推薦を行った人物への感謝を表すために「感謝」機能、又はプロセスを使用することができる。感謝機能が活性化されると、感謝に関連するコンテンツ紹介をユーザの（「感謝している」ユーザの）個人的な欲しい物リスト内に記憶することができ、製品又はサービスの購入等、ユーザはその製品又はサービスに容易にアクセスし、その製品又はサービスに対するその後のアクションを容易に実行することができる。感謝プロセスは、コンテンツ紹介内で使用される元のコンテンツを作成した人物の功績を認めるためにも使用することができる。
【００１２】
[00019]  本明細書に記載のシステム及び方法の特徴を使用することにより、仲間の推薦が他者に対して有する効果を測定することができる。推薦の発生源は、「いいね」機能又は「リツイート」等によってユーザ間の「関与」アクションだけを測定する現在のソーシャルメディア分析よりも高精度で可視化することができる。記載の技術を使用し、第１のユーザのコンテンツ紹介（即ち推薦）と第２のユーザの「感謝」との間のスレッドをたどって、第２のユーザの購入に対する第１のユーザの紹介の直接的な効果を明らかにすることができる。更に、第１のユーザの推薦に対する他のユーザの影響を明らかにすることができる。ユーザの推薦と購入との間のかかる関係が明らかにされると、特定の個人に関係するものとして任意の所与のエンティティからの影響を識別できるだけでなく、製品がオンラインソーシャル環境内でどのように相互作用するのかに関する具体的な人口統計及び情報を分析することができ、従って最適化技法の発見につながる。
【００１３】
[00020]  前のユーザの識別子へと一連の各販売／体験をたどることができることにより、金銭、割り引き、賞、特別なアクセス等を用いてそのような影響力のあるユーザを奨励することができ又はかかるユーザに報酬を与えることができる。ブランドは自らの利益を最も多くもたらす「販売要員」を直接且つ高信頼のやり方で識別することができるので、この形態はユーザとブランドとをより緊密にすることにも役立ち得る。従って、販売者は代わりに主要なインフルエンサと直接関わることにより、自らの製品を市場で売買するために概して支払う中間費用を回避することができ得る。
【００１４】
[00021]  現在、販売者はユーザコミュニティ間の効果を「関与」の観点から測定する。但し、「関与」はデジタルメディアの脈絡ではより大まかに定義され、それはこの用語が広告／マーケティング業界で過去に定義されてきた通り、販売者／ブランドと顧客との間の結び付き及びコミットメントに関係しない相互作用しか測定することができないからである。デジタルコンテンツプロバイダが現在「関与」と一般に言う内容は、特定のリンクをクリックするアクション又は何かに「いいね」を与えるアクションに関係する。これらのアクションの何れも販売者に具体的なことを正確に伝えない。
【００１５】
[00022]  ユーザの推薦と購入との間の直接的な因果関係の測定は、情報を操作することによって金銭的利益を得ることができる立場にある者によって容易に操作することができない具体的情報である。メディアエージェンシの仲介者は現在、統計を操作するための影響に関する曖昧なデータを使用して販売者及び広告媒体からより多くの収入を得ることができる。デジタルプラットフォームは、広告、検索結果等を優先的に配置することによってデータを操作することができる。本明細書に記載の技法を使用することによってそのような操作を大幅に減らす又はなくすことができ、それは販売者が正確な情報を市場から直接得ることができるからである。
【００１６】
[00023]  感謝プロセスで見られる別の特性は、購入又は別のアクションを行うユーザの動機を示す購入又は別のアクションの証拠をユーザが望まない場合にユーザのプライバシを尊重できることである。ユーザは単にアイテムを購入し又はアイテムにアクセスし、その製品に関する将来の分析から自分が外れることを確実にしておきたいことがある。本明細書に記載のシステムでは、ユーザが感謝プロセスを開始しない限りかかる情報を第三者又はコンテンツ紹介サービスプロバイダが利用することはできない。その場合、アイデアがどのように広まるのかについてのダイナミクスの分析に参加するかどうか、及び特定のアクションを行うユーザの動機の源であるものとして特定の個人又はエンティティの功績を認めるかどうかの明確な決定をユーザが下す。そういう訳で、購入者が感謝プロセスを使用しなくても、購入者がコンテンツ紹介に含まれる「アクション」機能を使用することによってコンテンツ紹介から製品を直接購入する場合、購入者が製品を購入した動機は何だったのかに関する決定を行うことができる。「アクション」機能は、提供者へと直接進み製品を注文するためのアクションを含む、コンテンツ紹介から直接行うことができる特定のアクションをコンテンツ紹介の作成者が定めることを可能にする。この機能は、他のシステムで現在認められるよりも直接的に動機を帰属させることを可能にする。
【００１７】
[00024]  本明細書で開示するシステム及び方法の他の特徴及び技術的進歩が、本明細書の説明及び対応する図１〜図８から明らかになる。
【００１８】
コンテンツ紹介：ユーザインタフェース
[00025]  図１は、スマートフォン１００のディスプレイ上でコンテンツ紹介１０２を表示するユーザインタフェース１０１の一例を示すスマートフォン１００の図である。ユーザインタフェース１０１の一例は、パーソナルアイコン１０８及びユーザ名１１０等、コンテンツ紹介１０２に関係する特定の情報を表示するタイトルバー１０６も含む。パーソナルアイコン１０８は、コンテンツ紹介１０２に関連するユーザの写真、アバター、ロゴ等で構成され得る。ユーザ名１１０は、ユーザの実名若しくは別名又は会社名、チーム名等のエンティティ識別子で構成され得る。この例ではユーザ名１１０が「Jessie R.」である。この例では、コンテンツ紹介１０２に関連する主題及びカテゴリとして他の情報も含まれ得る。
【００１９】
[00026]  ユーザインタフェース１０１の一例の別のコンポーネントは、ユーザインタフェース１０１の一例の中で示されるコンテンツ紹介１０２の主題に関係する様々な要素を含み得るディスクリプタバー１１２である。この例では、ディスクリプタバー１１２は、主題画像１１４及び記述フィールド１１６を含む。この例では限られた数のコンポーネントを有するものとしてディスクリプタバー１１２を示すが、１つ又は複数の代替的実装形態は本明細書で図示し説明するよりも多い又は少ないコンポーネントを利用し得る。主題画像１１４は、ディスプレイ上で表示される写真の小さいバージョン、ユーザインタフェース１０１の一例の中で示されるコンテンツに関係するテキスト等、コンテンツ紹介１０２の内容に関係し得る可視表現である。内容が録音であり、主題画像１１４が単純に録音の存在を示す画像であり得る場合等、主題画像１１４はコンテンツ紹介の内容に無関係とすることもできる。記述フィールド１１６は、コンテンツ紹介１０２の中で示されるコンテンツの記述を表示するように構成される。かかる記述は実装形態ごとに異なることができ、少なくとも１つの改変形態は「主題＠カテゴリ」形式の記述を実装し、「主題」はコンテンツ紹介の主題（製品、場所、人物等）を記述し、「カテゴリ」は主題のユーザ選択カテゴリ（ジーンズ、レストラン、Lady Gaga等）である。この特定の例で使用する「＠」の文字のように、文字を使用して主題表示とカテゴリ表示とを分けることができる。この例では、コンテンツ紹介１０２の主題はバックパックであり、その画像がディスプレイ上に表示されており、コンテンツ紹介１０２のカテゴリは「COACH」（登録商標）であり、その理由は表示されているバックパックがCOACH（登録商標）によって作られていると称されているからである。主題画像１１４は、コンテンツ紹介１０２の主題であるバックパックの小さい画像である。
【００２０】
[00027]  ユーザインタフェース１０１の一例の中のコンテンツ紹介１０２は、評価メカニズム１１８、レビューダイアログボックス１２０、及び複数のウィジェットアイコン１２２も含む。評価メカニズム１１８は、或るスコアの範囲からのスコアをコンテンツ紹介１０２の閲覧者が入力することを可能にし得る任意の機能とすることができ、前述のスコアはユーザインタフェース１０１の一例の中で示されるコンテンツ紹介１０２の内容に対する閲覧者の好感度又は心情を示す。この例では、閲覧者は一つ星から五つ星までの評価を割り当てることができる。代替的実装形態は、１から１０等の或る範囲内の数値を割り当てること、賛成及び不賛成、感情等、評価入力機能の別の改変形態を含み得る。レビューダイアログボックス１２０は、ＡＳＣＩＩ文字を含むテキスト入力等、許容可能な入力の或る特定の範囲に限定されない入力を閲覧者から受け付けるように構成される。この例では、コンテンツ紹介ユーザインタフェース１０１の一例が五つ星のうちの四つ星の評価、及び「格好いい；）」のレビューを示す。明瞭にするために、コンテンツ紹介１０２は第１のユーザによって作成され、第２のユーザによって閲覧され、評価及びレビューが第２のユーザによってコンテンツ紹介ユーザインタフェース１０１内に入力されたことが理解されよう。
【００２１】
[00028]  ウィジェットアイコン１２２は、事実上あらゆる電子ベースのタスクを実行するように構成される任意の数のアイコンとすることができる。この例では、ウィジェットアイコン１２２が「リサイクル」アイコン１２４及び「感謝」アイコン１２６を含む幾つかのアイコンを含む。
【００２２】
[00029]  リサイクルアイコン１２４は、閲覧者が既存のコンテンツ紹介１０２に基づいて新たなコンテンツ紹介を作成したい場合、即ちユーザがコンテンツ紹介１０２の１つ又は複数のコンポーネントを「リサイクル」する場合に閲覧者（即ち「第２のユーザ」）によって活性化され得る。リサイクルアイコン１２４は感謝プロセスと組み合わせて機能するように実装することができ、かかる実装形態については以下でより詳細に説明する。感謝アイコン１２６は、閲覧者が行うアクションをもたらす又はもたらした紹介の情報源を識別するために本明細書に記載の感謝プロセスを閲覧者が開始したい場合に閲覧者によって活性化され得る。
【００２３】
システムの例−電子装置
[00030]  図２は、本発明の１つ又は複数の部分を実装することができる電子装置の一例を示すブロック図である。この特定の例では電子装置の一例がスマートフォン２００だが、同様の技法がタブレット又はコンピュータ等の他の任意の適切な種類の電子装置上で使用される。以下の解説では、スマートフォン２００の一例の個々のコンポーネントに特定の名前を割り当てている。要素の名前は例示に過ぎず、名前は関連要素の範囲又は機能を限定することは意図しないことを指摘しておく。更に、特定の相互作用は特定のコンポーネントに帰属し得る。本明細書では具体的に記載していない少なくとも１つの代替的実装形態では、他のコンポーネントの相互作用及び通信が提供され得ることを指摘しておく。以下の図２の解説はあり得る全ての実装形態の一部を表すに過ぎない。更に、他の実装形態は異なり得るが、スマートフォン２００の一例の１つ又は複数の要素は、プロセッサ実行可能命令のコードセグメントを含む及びそれらを含むコンポーネントを有するソフトウェアアプリケーションとして記載する。そのため、本明細書の説明において特定のコンポーネントに帰属する特定の特性は、代替的実装形態では１つ又は複数の他のコンポーネントによって実行され得る。スマートフォン２００の一例の中の特性又は機能の代替的帰属は、本明細書又は本明細書に添付される特許請求の範囲に記載の技法の範囲を限定することは意図しない。
【００２４】
[00031]  スマートフォン２００の一例は、１つ又は複数のプロセッサ２０２、１つ又は複数の通信インタフェース２０４、ディスプレイ２０６、カメラ２０８、全地球測位システム２１０、及び他のハードウェア２１２を含む。１つ又は複数のプロセッサ２０２のそれぞれは、シングルコアプロセッサ又はマルチコアプロセッサであり得る。通信インタフェース２０４はスマートフォン２００の一例の外にあるコンポーネントとの通信を助け、スマートフォン２００の一例にネットワーキング機能を与える。例えばスマートフォン２００の一例は、通信インタフェース２０４によってインターネット２１４又はローカルネットワーク２１６等の１つ又は複数のネットワーク経由で他の電子装置（例えばラップトップ、コンピュータ、他のサーバ等）とデータをやり取りすることができる。スマートフォン２００の一例と他の電子装置との間の通信は、データ及び／又は音声通信を送受信するための当技術分野で知られている任意の種類の通信プロトコルを利用することができる。
【００２５】
[00032]  ディスプレイ２０６は、この例では典型的なスマートフォンのディスプレイだが、スマートフォン又は他の種類の電子装置と共に使用される外部ディスプレイでもよい。カメラ２０８はスマートフォン２００の一例と一体化して図示してあるが、スマートフォン２００の一例又は異なる種類の電子装置と共に使用される外部カメラでもよい。ＧＰＳ２１０又は他の何らかの種類の位置決定コンポーネントが含まれる。他のハードウェア２１２は、装置の操作を実行するために使用されるハードウェアコンポーネント並びに関連するソフトウェア及び／又はファームウェアを含む。他のハードウェア２１２に含まれるのは、スマートフォン２００の一例又は他の種類の電子装置とのユーザ対話を支援する、個別には示していないキーボード、マウス、ディスプレイ、マイクロフォン、カメラ等の１つ又は複数のユーザインタフェースハードウェアコンポーネントである。
【００２６】
[00033]  スマートフォン２００の一例は、データ、実行可能命令、モジュール、コンポーネント、データ構造等を記憶するメモリ２１８も含む。メモリ２１８はコンピュータ可読媒体を使用して実装することができる。コンピュータ可読媒体は少なくとも２種類のコンピュータ可読媒体、つまりコンピュータ記憶媒体及び通信媒体を含む。コンピュータ記憶媒体は、コンピュータ可読命令、データ構造、プログラムモジュール、又は他のデータ等の情報を記憶するための任意の方法又は技術によって実装される揮発性及び不揮発性の取外し可能媒体及び固定型媒体を含む。コンピュータ記憶媒体は、これだけに限定されないがＲＡＭ、ＲＯＭ、ＥＥＰＲＯＭ、フラッシュメモリ又は他のメモリテクノロジ、ＣＤ−ＲＯＭ、デジタル多用途ディスク（ＤＶＤ）、又は他の光学記憶域、磁気カセット、磁気テープ、磁気ディスク記憶域、又は他の磁気記憶装置、又は計算装置によるアクセスのために情報を記憶するために使用可能な他の任意の非伝送媒体を含む。コンピュータ記憶媒体は「非一時的」媒体とも呼ぶことができる。しかし理論上は全ての記憶媒体は一時的であり、「非一時的」という用語は記憶媒体を通信媒体と対比させるために使用し、コンピュータ実行可能プログラム、アプリケーション、及び命令を数秒よりも長く記憶することができるコンポーネントを指す。対照的に通信媒体は、コンピュータ可読命令、データ構造、プログラムモジュール、又は他のデータを搬送波又は他の伝送機構等の変調データ信号内に組み入れることができる。通信媒体は「一時的」媒体とも呼ぶことができ、一時的媒体では電子データは短期間、典型的には１秒未満しか記憶することができない。
【００２７】
[00034]  スマートフォン２００の一例のメモリ２１８内にオペレーティングシステム２２０が記憶される。オペレーティングシステム２２０は、プロセッサ２０２、通信インタフェース２０４、ディスプレイ２０６、カメラ２０８、ＧＰＳ２１０、及び他のハードウェア２１２の機能を制御する。更にオペレーティングシステム２２０は、スマートフォン２００の一例が、様々な入力（例えばユーザコントロール、ネットワークインタフェース、及び／又はメモリ装置）によってデータを受け付け伝送すること、並びにプロセッサ２０２を使用してデータを処理して出力を生成することを可能にするコンポーネントを含む。オペレーティングシステム２２０は、出力の提示（例えば、電子ディスプレイ上にデータを表示すること、メモリ内にデータを記憶すること、別の電子装置にデータを伝送すること等）を制御する提示コンポーネントを含み得る。加えてオペレーティングシステム２２０は、典型的なオペレーティングシステムに一般に関連する様々な追加機能を実行する他のコンポーネントを含み得る。メモリ２１８は、スマートフォン２００の一例に関する機能を提供し若しくは支援する、又はスマートフォン２００の一例それ自体に関係してもしなくてもよい汎用若しくは専用装置ユーザ機能を提供する他のソフトウェアアプリケーション２２２又はプログラムも記憶する。ソフトウェアアプリケーション２２２は、非システム機能を実行するシステムソフトウェアアプリケーション及び実行可能アプリケーションを含む。
【００２８】
[00035]  メモリ２１８は、本明細書に示す技法を実行するための操作を実行し及び／又は制御し、且つ本明細書に記載の改善されたシステム、方法等を提供するために一緒に機能する幾つかのコンポーネントを含むコンテンツ紹介システム２２４も記憶する。コンテンツ紹介システム２２４は、ユーザインタフェース２２６、及びコンテンツ紹介システム２２４内で作成されるコンテンツ紹介２３６を含む。ユーザインタフェース２２６は、スマートフォン２００の一例とそのユーザとの間の入出力通信を支援する要素を含む。ユーザインタフェース２２６は、ウィジェットアイコン１２２（図１）によって表す機能（即ち属性、いいね、リサイクル、コメント、感謝、転送の機能）等の一部のユーザインタフェース要素の機能も提供する。メモリ２１８内に常にある訳ではないが、コンテンツ紹介２３６はコンテンツ紹介１０２（図１）の一例等のコンテンツ紹介を表すために示す。典型的には、コンテンツ紹介２３６は、コンテンツ紹介データベース４００（図４）の一例のレコード内に記憶されるデータを含む。コンテンツ紹介システム２２４は、ユーザフィードを生成し記憶するフィード２２８も含む。本明細書で予期するフィードの１つの特徴はユーザのコンテンツ紹介が別のユーザから感謝を受け付ける場合であり、ユーザのフィード内のコンテンツ紹介の表示内にその指示が含められる。かかる指示はユーザのフォロワー及び／又は公衆の他のメンバに示され、そのことはコンテンツ紹介が他のユーザから１つ又は複数の感謝を受け付けたということが公開されることを意味する。コンテンツ紹介システム２２４は、採点モジュール２３０、ランク付けモジュール２３２、及び検索モジュール２３４を更に含む。
【００２９】
[00036]  スマートフォン２００の一例は、（図４に関して図示し説明したコンテンツ紹介データベース４００の一例と同様の）コンテンツ紹介データベース２４４及び（図５に関して図示し説明したリストデータベース５００の一例と同様の）リストデータベース２４６を記憶するデータストア２４２と通信する。スマートフォン２００の一例の外にあるように図示するが、データストア２４２内に記憶されるデータの少なくとも一部はスマートフォン２００の一例のメモリ２１８内にあってもよい。但し、コンテンツ紹介システムに関連するコンテンツ紹介及び支援アプリケーションの完全な機能にアクセスするために、コンテンツ紹介システム２２４は典型的には外部のデータストア２４２と通信する。
【００３０】
[00037]  システムの特性を活用し、効率的な動作環境を提供するために、記載した実装形態に対する変化形態を実装できることを当業者なら理解されよう。
【００３１】
サーバの例
[00038]  図３は、本明細書に記載の技法によるサーバの動作環境３００の一例を示すブロック図である。以下の解説では、サーバの動作環境３００の一例の個々のコンポーネントに特定の名前を割り当てている。要素の名前は例示に過ぎず、名前は関連要素の範囲又は機能を限定することは意図しないことを指摘しておく。更に、特定の相互作用は特定のコンポーネントに帰属し得る。本明細書では具体的に記載していない少なくとも１つの代替的実装形態では、他のコンポーネントの相互作用及び通信が提供され得ることを指摘しておく。以下の図３の解説はあり得る全ての実装形態の一部を表すに過ぎない。更に、他の実装形態は異なり得るが、サーバの動作環境３００の一例の１つ又は複数の要素は、プロセッサ実行可能命令のコードセグメントを含む及びそれらを含むコンポーネントを有するソフトウェアアプリケーションとして記載する。そのため、本明細書の説明において特定のコンポーネントに帰属する特定の特性は、代替的実装形態では１つ又は複数の他のコンポーネントによって実行され得る。サーバの動作環境３００の一例の中の特性又は機能の代替的帰属は、本明細書又は本明細書に添付される特許請求の範囲に記載の技法の範囲を限定することは意図しない。
【００３２】
[00039]  サーバの動作環境３００の一例は、１つ又は複数のプロセッサ３０４、１つ又は複数の通信インタフェース３０６、及び他のハードウェア３０８を含むサーバ３０２を含む。１つ又は複数のプロセッサ３０４のそれぞれは、シングルコアプロセッサ又はマルチコアプロセッサであり得る。通信インタフェース３０６はサーバ３０２の外にあるコンポーネントとの通信を助け、サーバ３０２にネットワーキング機能を与える。例えばサーバ３０２は、通信インタフェース３０６によってインターネット３１０、ローカルネットワーク３１２、又は広域ネットワーク３１４等の１つ又は複数のネットワーク経由でクライアント電子装置（例えばラップトップ、コンピュータ、他のサーバ等）とデータをやり取りすることができる。サーバ３０２の一例と他の電子装置との間の通信は、データ及び／又は音声通信を送受信するための当技術分野で知られている任意の種類の通信プロトコルを利用することができる。
【００３３】
[00040]  サーバ３０２の他のハードウェア３０８は、サーバの操作を実行するために使用されるハードウェアコンポーネント並びに関連するソフトウェア及び／又はファームウェアを含む。他のハードウェア３０８に含まれるのは、サーバ３０２又は他の種類の電子装置とのユーザ対話を支援する、個別には示していないキーボード、マウス、ディスプレイ、マイクロフォン、カメラ等の１つ又は複数のユーザインタフェースハードウェアコンポーネントである。
【００３４】
[00041]  サーバ３０２は、データ、実行可能命令、モジュール、コンポーネント、データ構造等を記憶するメモリ３１６も含む。メモリ３１６は、先に記載したようにコンピュータ可読媒体を使用して実装することができる。サーバ３０２のメモリ３１６内にオペレーティングシステム３１８が記憶される。オペレーティングシステム３１８は、プロセッサ３０４、通信インタフェース３０６、他のハードウェア３０８の機能を制御する。更にオペレーティングシステム３１８は、サーバ３０２が、様々な入力（例えばユーザコントロール、ネットワークインタフェース、及び／又はメモリ装置）によってデータを受け付け伝送すること、並びにプロセッサ３０４を使用してデータを処理して出力を生成することを可能にするコンポーネントを含む。オペレーティングシステム３１８は、出力の提示（例えば電子ディスプレイ上にデータを表示すること、メモリ内にデータを記憶すること、別の電子装置にデータを伝送すること等）を制御する提示コンポーネントを含み得る。加えて、オペレーティングシステム３１８は、典型的なオペレーティングシステムに一般に関連する様々な追加機能を実行する他のコンポーネントを含み得る。メモリ３１６は、サーバ３０２に関する機能を提供し若しくは支援する、又はサーバ３０２自体に関係してもしなくてもよい汎用若しくは専用装置ユーザ機能を提供する他のソフトウェアアプリケーション３２０又はプログラムも記憶する。ソフトウェアアプリケーション３２０は、非システム機能を実行するシステムソフトウェアアプリケーション及び実行可能アプリケーションを含む。
【００３５】
[00042]  メモリ３１６は、本明細書に示す技法を実行するための操作を実行し及び／又は制御し、且つ本明細書に記載の改善されたシステム、方法等を提供するために一緒に機能する幾つかのコンポーネントを含むコンテンツ紹介システム３２２も記憶する。図２に示すスマートフォン２００の一例のコンテンツ紹介システム２２４によって利用可能なサービスを支援することに加え、サーバ３０２のコンテンツ紹介システム３２２は、グローバルリストの作成、グローバル採点、グローバルランク付け等、複数のユーザにわたって機能するグローバル操作も実行する。
【００３６】
[00043]  本明細書に記載の実装形態は、個々のユーザがパーソナル装置上でコンテンツ紹介システムを実行することを予期するが、サーバ３０２はクライアントコンテンツ紹介システム３２４の１つ又は複数のインスタンスを含み得ることを指摘しておく。かかるシステムでは、コンテンツ紹介システムのコア機能が主にサーバ３０２上で実行され、ユーザによる入力及び出力、コンテンツの捕捉等の周辺機能がクライアントコンテンツ紹介システムのインスタンスに関連するユーザの電子装置上で実行される。
【００３７】
[00044]  コンテンツ紹介システム３２２は、検索コンポーネント３２６、採点コンポーネント３２８、ランク付けコンポーネント３３０、及びリストコンポーネント３３２を含む。検索コンポーネント３２６は、クライアント装置から検索語を受信し、関連情報を求めて関連するデータストア３３８を検索するように構成される。データストア３３８は、ユーザ情報、ユーザフィード、ユーザリスト、グローバルリスト、製品情報、地理情報、企業情報等の多くのデータ項目を記憶することができる。記憶されるデータは、先に記載したのと同様のコンテンツ紹介データベース３４０及びリストデータベース３４２を記憶して図示してある。データストア３３８はサーバ３０２のメモリ３１６内に記憶されてもよく、又はサーバ３０２によってアクセス可能な外部位置に記憶され得る。採点コンポーネント３２８はコンテンツ紹介の主題に関連する活動を追跡し、コンテンツ紹介に関する様々なユーザ入力に基づいて加点又は減点する。
【００３８】
[00045]  例えば採点コンポーネント３２８は、ユーザがコンテンツ紹介システム３２２と対話しているときユーザの任意のアクションを追跡し、そのアクションに得点（マイナス、中立、プラス）を割り当てることができる。次いで、割り当てられた得点を累積スコアに加算することができる。ユーザ、コンテンツ紹介、コンテンツ紹介の作成者等に関係する累積スコアに影響を及ぼすように、コンテンツ紹介の主題に関するユーザの心情についての事実上あらゆるインジケータに得点を割り当てることができる。更に、コンテンツ紹介システム３２２内で行われるアクションを採点することに加えて、採点コンポーネント３２８はユーザが参加する外部取引にも得点を割り当てることができる。
【００３９】
[00046]  ランク付けコンポーネント３３０は、採点コンポーネント３２８によって計算されるスコアに従って項目を順序付けるためにカテゴリ内の様々な項目にランク付けするように構成される。例えばレストランのカテゴリがある場合、ランク付けコンポーネントはレストランのカテゴリに関連する項目に関係する全てのコンテンツ紹介のランク付けされた順序を決定する。かかるランク付けは、１０、４０、又は他の任意の実際的な数字等、項目の最大数に限定され得る。カテゴリ内の項目のランク付けされた順序は、リストコンポーネント３３２内のリストとして記憶される。リストは、システム内の複数のユーザによって作成されたコンテンツ紹介を考慮に入れるグローバルリストであり、及び／又はカテゴリ内の１人のユーザの項目のランク付けであるパーソナルリストであり得る。
【００４０】
[00047]  コンテンツ紹介システム３２２は、アクションコンポーネント３３４及び感謝コンポーネント３３６も含む。アクションコンポーネント３３４は、コンテンツ紹介に関して行われ得る様々なアクションを提供する。かかるアクションの一部の例は、コンテンツ紹介の主題に関するWikipediaの記事に進むためのアクション、コンテンツ紹介の主題であるアイテムを購入するためのアクション、コンテンツ紹介の主題に関係する記事へのリンクを提供するアクション等を含む。以下でより詳細に説明するように、コンテンツ紹介システム３２２内でアクションを実行しているユーザは感謝プロセスを開始するためのプロンプトを引き起こすことができる。感謝コンポーネント３３６は、本明細書に記載の感謝プロセスを実行するためのコード又は他の手段を含む。
【００４１】
[00048]  先に述べたように、感謝コンポーネント３３６によって支援される感謝プロセスは、第２のユーザによって現在行われている又は後で行われるアクションについて第２のユーザが信頼できると認める情報を含むコンテンツ紹介を作成し又は投稿した第１のユーザの功績を第２のユーザが認めることができるメカニズムを提供する。第２のユーザは、図１に関して図示し説明したコンテンツ紹介ユーザインタフェース１０１の一例等のコンテンツ紹介ユーザインタフェース内に含まれる感謝アイコン１２６を活性化することによって感謝プロセスを開始することができる。例えば第２のユーザが図１に示すコンテンツ紹介１０２（主題画像１１４としてバックパックを表示している）を閲覧し、そのバックパックを購入したいと判断する場合、第２のユーザは、コンテンツ紹介１０２を作成したユーザに感謝を与えたい場合は感謝アイコン１２６を活性化することができる。第１のユーザ１０２はコンテンツ紹介１０２の元の作成者ではない可能性があるが、前に作成されたコンテンツ紹介をリサイクルしてコンテンツ紹介１０２を作成している場合があることを指摘しておく。
【００４２】
[00049]  感謝コンポーネント３３６は、様々な操作を生じさせるために幾つかあるやり方の１つによって構成され得る。或る実装形態は、第１のユーザが投稿したコンテンツ紹介１０２について第２のユーザが感謝を提供したことを第１のユーザに知らせる通知を第１のユーザに送信することができる。一部の状況では、第１のユーザがセレブであり何千人ものフォロワーを有する場合等、コンテンツ紹介１０２の影響を受ける他の全てのユーザからかかる通知を受信することが第１のユーザにとって過度に面倒であることがある。その場合、第１のユーザはおそらく全てのユーザからの全ての感謝の通知を受信したくないであろう。そのような事例を防ぐために、感謝コンポーネント３３６によって通知メカニズムを無効にすることができる。第２のユーザが感謝プロセスを開始するとき、コンテンツ紹介１０２又はその中に含まれる主題が第２のユーザに関係するパーソナルリスト（例えば欲しい物リスト）に追加され得る別の構成が実装されてもよい。
【００４３】
[00050]  第１のユーザが第２のユーザから感謝を受け付けると、第１のユーザに関連するスコアを増分することができる。例えば、どれ位の人が第１のユーザの推薦に依拠するのかを示すためにインフルエンサスコアを実装することができる。その場合、インフルエンサスコアは単に暗黙の学習の結果として計算されるのではなく、他のユーザにわたる第１のユーザの影響力の直接証拠を反映する。代替的実装形態では、第２のユーザによる参加レベルを示すために、又はユーザが他のユーザに功績を相当である場合に帰属させるのを促すために、第２のユーザに関連するスコアも増分することができる。
【００４４】
[00051]  感謝プロセスについては図６〜図８の流れ図に関して以下でより詳細に説明する。
【００４５】
コンテンツ紹介データベース
[00052]  図４は、本明細書に記載の技法と共に利用され得るコンテンツ紹介データベース４００の一例の図を示す。コンテンツ紹介データベース４００の一例についての以下の解説では、前の図面に関して図示し説明した要素に引き続き言及する。コンテンツ紹介データベース４００の一例は、コンテンツ紹介内に入力される情報を記憶するために使用され得るデータベースの或る特定の実装形態に過ぎないことを指摘しておく。コンテンツ紹介データベース４００の一例と共に又はその代わりに、同様のデータベース又は他の記憶域、ルックアップ、及びリコール技法を使用できることを当業者なら理解されよう。
【００４６】
[00053]  コンテンツ紹介データベース４００の一例は、レコード４０２、レコード４０４、及びレコード４０６等の複数のレコードを含む。図示のレコードは象徴的であることを意図しているに過ぎず、コンテンツ紹介データベース４００の一例は実際には大量のレコードを含む。各レコードは、図１に示すコンテンツ紹介１０２と同様のユーザによって作成されるコンテンツ紹介に対応する。コンテンツ紹介データベース４００の一例は、コンテンツ紹介の作成時にユーザによって入力される情報の一部又は全てを記憶する。レコード４０２〜４０６のそれぞれが同様の情報を記憶する。
【００４７】
[00054]  図４に示すように、レコード４０２〜４０６は、レコードに対応するコンテンツ紹介に割り当てられる一意識別子であるコンテンツ紹介識別子４０８を含む。コンテンツ紹介識別子４０８は、コンテンツ紹介内に入力される情報からシステムによって割り当てられ、又はコンテンツ紹介識別サブシステム内のシステムによって作成される。
【００４８】
[00055]  レコード４０２〜４０６のそれぞれは、ユーザ名４１０、（任意の種類のコンテンツを含み得る）対応するコンテンツ紹介１０２によって捕捉されるコンテンツ４１２、パーソナルアイコン４１４、スコア４１６、及び主題画像４１８も含む。各レコード４０２〜４０６は、記述４２０、評価４２２、レビュー４２４、及び対応するコンテンツ紹介１０２に対する他のユーザのコメントから捕捉される１つ又は複数のコメント４２６も記憶して図示してある。コンテンツ紹介データベース４００の一例の中のレコード４０２〜４０６は、ユーザによって対応するコンテンツ紹介１０２に割り当てられている１つ又は複数のカテゴリ４２８、（該当する場合は）対応するコンテンツ紹介１０２の主題の位置４３０、コンテンツ紹介１０２を作成したユーザ以外のユーザから対応するコンテンツ紹介１０２が得るいいねの数４３２、対応するコンテンツ紹介１０２の１つ又は複数の要素を使用したリサイクルの数４３４、及び対応するコンテンツ紹介１０２の共有の数４３６も含む。最後に、レコード４０２〜４０６のそれぞれは、感謝４３８及びアクション４４０のためのエントリも含む。感謝４３８のエントリは、レコード４０２〜４０６に関連するコンテンツ紹介の内容である場所、製品、又は事柄への紹介についてユーザの功績を認めている１人又は複数の人の名前を記憶するために使用される。アクション４４０は、コンテンツ紹介を作成したユーザがコンテンツ紹介を閲覧する人に提供した１つ又は複数のアクション（製品の購入等）を列挙する。
【００４９】
[00056]  ユーザが入力しようとユーザ以外の情報源から捕捉されようと、コンテンツ紹介内に含まれる如何なる情報もコンテンツ紹介データベース４００のレコード内に記憶され得る。検索機能を支援するために、コンテンツ紹介データベース４００は任意の要素又は要素の組み合わせについて検索可能である。コンテンツ紹介データベース４００の一例は、この例で示すよりも多い数又は少ない数のレコード及び／又はエントリを含む多くの異なるやり方で実装できることを指摘しておく。以下、コンテンツ紹介データベース４００の一例の更なる特性を特定の機能の脈絡で説明する。
【００５０】
リストデータベース
[00057]  図５は、本明細書に記載の技法と共に利用され得るリストデータベース５００の一例の図を示す。リストデータベース５００の一例についての以下の解説では、前の図面に関して図示し説明した要素に引き続き言及する。リストデータベース５００の一例は、コンテンツ紹介に関係するリスト情報を記憶するために使用され得るデータベースの或る特定の実装形態に過ぎないことを指摘しておく。リストデータベース５００の一例と共に又はその代わりに、同様のデータベース又は他の記憶域、ルックアップ、及びリコール技法を使用できることを当業者なら理解されよう。
【００５１】
[00058]  リストデータベース５００の一例は、レコード５０２、レコード５０４、及びレコード５０６によって示すように複数のレコードを記憶する。この例では３つのレコード５０２〜５０６しか示さないが、動作中のリストデータベース５００内には更に多くのレコードが記憶される。リストデータベース５００の一例の各レコード５０２〜５０６は、名前５０８及び名前５０８に関連するリスト内の１つ又は複数のエントリを含む。名前５０８はコンテンツ紹介のカテゴリであり得る。その場合、名前５０８はコンテンツ紹介内の記述フィールド１１６（図１）からとられる。先に述べたように、記述フィールド１１６内の記述は主題＠カテゴリの形式にあり得る。従って、カテゴリは特定の実装形態において使用される接続記号（この例では接続記号は「＠」である）の後に続く文字列である。或る人物に関連するパーソナルリストの場合、名前５０８は人の名前とすることもできる。加えて少なくとも１つの代替的実装形態では、名前５０８はランク付けされたリストに関連する他のエンティティであり得る。各レコード５０２〜５０６は、第１のエントリEntry_1  ５１０及びEntry_n  ５１２で終わる他のエントリも含む。レコード５０２〜５０６は単一のエントリ（Entry_1  ５１０）しか含むことができない場合があるが、典型的には複数のエントリを含む。カテゴリごとのエントリの最大数は実装形態によって異なり得る。例えば１つ又は複数の実装形態は「トップテン」リストを利用することができ、従ってカテゴリに関連するエントリの数を１０に限定する。１つ又は複数の代替的実装形態では、例えばカテゴリごとに最大で４０のエントリを許可することができる。他の実装形態では、エントリの数が全く限定されなくてもよい。
【００５２】
方法論的な実装形態の例−感謝（非プロンプト）
[00059]  図６は、本明細書に記載の感謝プロセスのための方法論的な実装形態の一例を示す流れ図６００である。流れ図６００についての以下の解説では、前の図面内で示した要素名及び／又は参照番号に引き続き言及する。流れ図６００についての以下の解説では特定のステップを記載するが、更に多くのステップ又は少ないステップが代わりの方法論的な実装形態に含まれてもよいことを指摘しておく。更に、本明細書に記載の技法の１つ又は複数の論理的実装形態において、流れ図６００に関して図示し説明する２つ以上の別個のステップを単一のステップへと組み合わせることができる。更に、以下の解説は図２のスマートフォン２００の一例の中に示すコンテンツ紹介システム２２４及びそのコンポーネントに言及するが、図３に示すサーバ３０２の一例のコンテンツ紹介システム３３６に関して同じ解説が適用され得ることを指摘しておく。一部の事例では、スマートフォン２００の一例及びサーバ３０２の一例の両方に対して操作を実行することができる。
【００５３】
[00060]  ステップ６０２で、コンテンツ紹介システム２２４が、感謝アイコン１２６を含むコンテンツ紹介１０２をスマートフォン２００の一例のディスプレイ２０６上に表示させる。ステップ６０４で、コンテンツ紹介ユーザインタフェース１０１内に表示される感謝アイコン１２６をユーザが活性化したことをコンテンツ紹介システム２２４が検出する。その後ステップ６０６で、コンテンツ紹介システム２２４が、記述フィールド１１６内で識別された主題をユーザに関連するパーソナルトップテンリスト、欲しい物リスト等のリストに追加する。ステップ６０８で、コンテンツ紹介１０２内で行われた推薦について、即ちコンテンツ紹介１０２を投稿することについてユーザがコンテンツ紹介１０２の作成者に感謝を帰属させたことを作成者に知らせる通知を作成者に送信する。
【００５４】
[00061]  ステップ６１０で、バックエンドプロセスを開始する。多くのステップをバックエンドプロセスによって実現することができ、それらのステップは特定の実装形態に応じて異なる。例えばバックエンドプロセスは、コンテンツ紹介、コンテンツ紹介内に含まれる要素、コンテンツ紹介を投稿したユーザ、元のコンテンツ紹介を作成したユーザ、感謝を開始するユーザ等に関連するカウント又はスコア等の特定の項目を更新することを含み得る。バックエンドプロセス内で行われ得る更なるアクションは、感謝が送信された日付／時間、感謝を送るユーザの位置、コンテンツ紹介内で表示されるアイテムの位置、感謝を送るユーザの名前、コンテンツ紹介内で表示されるアイテムのブランド又は製品名、コンテンツ紹介に関連するコメント等、感謝プロセスに関連するメタデータを記憶することを含む。要約すると、感謝の開始の脈絡に関して実装者がコンテンツ紹介システム２２４に記録してほしい如何なるアクションも行うことができる。
【００５５】
[00062]  更に、コンテンツ紹介について感謝されている人に関して行われる検索がコンテンツ紹介の主題にも導かれるように、又はその逆も同様であるように、コンテンツ紹介の主題（即ち製品等）をコンテンツ紹介について感謝されている人に関連付けることにより、感謝プロセスが開始されるということを使用して検索に関連する情報を提供することができる。又はよりロバストな検索の基礎を形成するために、感謝のアトリビューションを与えた者との関係を作ることができる。感謝プロセスについては多くの実装の改変形態が存在し、本明細書で示す限られた例はそのような各プロセスを例示することは意図しない。コンテンツ紹介システムの知識及び動作を改善し、誰がインフルエンサなのか及び評判がどのように広がって多くのユーザに届くのかを突き止めるためのより正確な基礎を提供するために、動機のアトリビューションをどのように利用できるのかを当業者なら理解されよう。
【００５６】
方法論的な実装形態の例−感謝（プロンプト）
[00063]  ユーザが感謝アイコンを活性化して感謝プロセスを開始することに加えて、感謝プロセスは、アトリビューションが相応であり得る場合を検出し、アトリビューション（感謝）を与えるようにユーザを促す（ユーザは承諾することも拒否することもできる）ことによって開始され得る。これを行うことができる１つの脈絡は、第２のユーザが第１のユーザによって作成されたコンテンツ紹介をリサイクルすることによってコンテンツ紹介を作成するときである。本明細書で先に示した例を使用し、ユーザはコンテンツ紹介１０２を閲覧しているときリサイクルアイコン１２４を活性化することができる。リサイクルプロセスはコンテンツ紹介１０２の一部を取り、第２のユーザが土台にし得る新たなコンテンツ紹介（不図示）を作成する。リサイクル事象が発生したことをコンテンツ紹介システム２２４が検出すると、コンテンツ紹介システム２２４はコンテンツ紹介１０２の作成者に感謝を与えるようにユーザを促すことができる。この例は以下で概説する方法論的な実装形態の基礎である。
【００５７】
[00064]  図７は、本明細書に記載の技法で使用するための検索のための方法論的な実装形態の一例を示す流れ図７００である。流れ図７００についての以下の解説では、前の図面内で示した要素名及び／又は参照番号に引き続き言及する場合がある。流れ図７００についての以下の解説では特定のステップを記載するが、更に多くのステップ又は少ないステップが代わりの方法論的な実装形態に含まれてもよいことを指摘しておく。更に、本明細書に記載の技法の１つ又は複数の論理的実装形態において、流れ図７００に関して図示し説明する２つ以上の別個のステップを単一のステップへと組み合わせることができる。
【００５８】
[00065]  ステップ７０２で、コンテンツ紹介システム２２４がユーザに関連する感謝リストを表示する。感謝リストはユーザが何らかの時点においてコンテンツ紹介の作成者に感謝したアイテムのリストであり、ユーザが作成者に感謝を与えるとそのアイテム（即ちコンテンツ紹介）は感謝リスト上に配置される。感謝リストは一部の応用で使用される欲しい物リストと同様に機能する。ステップ７０４で、ユーザが自分の感謝リスト内に列挙されたアイテムを入手したことをコンテンツ紹介システム２２４が検出する。ステップ７０６で、コンテンツ紹介システム２２４が入手されたアイテムをユーザの感謝リストから除去する。ユーザが感謝リストによってアイテムをオンラインで入手する場合、入手が行われたことを突き止めるのは容易である。しかしユーザがアイテムをオフラインで購入する場合、入手が行われたことを検出するために別の方法を使用することができる。この方法をステップ７０８に関して以下でより詳細に説明する。
【００５９】
[00066]  その後（前のステップの直後とすることができ又は数日後とすることができる）、コンテンツ紹介システム２２４は前に入手されたアイテムに基づくコンテンツ紹介をユーザが作成していることを検出する（ステップ７０８）。かかる検出は、新たなコンテンツ紹介の主題及びカテゴリをユーザの感謝リスト上のアイテムの主題及びカテゴリと突き合わせることによって実現される。入手がコンテンツ紹介システムによってではなく直に行われても、ユーザが同じ主題及びカテゴリを使用して新たなコンテンツ紹介を作成する場合は同じ照合プロセスを実現することができる。その場合、以下のプロンプトステップ（ステップ７１０）は実行しなくてもよい。但し、ユーザとユーザの感謝リスト又は欲しい物リスト上に配置されていたコンテンツ紹介の作成者との間のリンクが追跡及び検索のために依然として作られるように、以下に列挙する他のステップは実行することができる。
【００６０】
[00067]  ステップ７１０で、コンテンツ紹介システム２２４は、コンテンツ紹介内で表示されたアイテムを自分の感謝リスト又は欲しい物リスト上に配置する動機をユーザに与えたコンテンツ紹介の作成者にアトリビューション（又は感謝）を与えたいかどうかを尋ねるプロンプトをユーザに表示する。ユーザがアトリビューションを与えたくない場合（ステップ７１０の「いいえ」の分岐）、コンテンツ紹介作成プロセスはステップ７１８で完了するまで続く。ユーザがアトリビューションを与えたい場合（ステップ７１０の「はい」の分岐）、ステップ７１２で、ユーザがアイテムを入手したこと及び作成者に感謝を送ったことを作成者に知らせる通知を作成者に伝送する。
【００６１】
[00068]  ステップ７１４でバックエンドプロセスを開始し、情報及びメタデータを記憶し、ユーザ、作成者、新たに作成されるコンテンツ紹介、ユーザの感謝リスト上にあったコンテンツ紹介、及び／又はコンテンツ紹介内に含まれる要素に関係する値を更新する。ステップ７１６で、元のコンテンツ紹介を識別する検索が新たに作成されるコンテンツ紹介も識別できるように、新たに作成されるコンテンツ紹介を元のコンテンツ紹介に関連付ける。この点で、両方のユーザ、両方のコンテンツ紹介、及び／又はその要素に関して他の関連付けが行われてもよい。コンテンツ紹介データベース４００、リストデータベース５００、又は別のデータベース（不図示）内で反映されるかかる関連付けを行うことにより、検索クエリに応じて返される検索結果が追加情報で補足され、検索を行っているユーザにより優れた結果及び情報を与えることができる。感謝プロセスの完了後、コンテンツ紹介作成プロセスを続行し、ステップ７１８で終える。
【００６２】
[00069]  図８は、本明細書で示す技法で使用するための検索のための方法論的な実装形態の一例を示す流れ図８００である。流れ図８００についての以下の解説では、前の図面内で示した要素名及び／又は参照番号に引き続き言及する場合がある。流れ図８００についての以下の解説では特定のステップを記載するが、更に多くのステップ又は少ないステップが代わりの方法論的な実装形態に含まれてもよいことを指摘しておく。更に、本明細書に記載の技法の１つ又は複数の論理的実装形態において、流れ図８００に関して図示し説明する２つ以上の別個のステップを単一のステップへと組み合わせることができる。
【００６３】
[00070]  ステップ８０２で、コンテンツ紹介システム２２４が第２のユーザに対してスマートフォン２００の一例のディスプレイ２０６上でコンテンツ紹介１０２を表示する（コンテンツ紹介１０２は第１のユーザによって作成されている）。ステップ８０４で、コンテンツ紹介ユーザインタフェース１０１の一例の中で示されているリサイクルアイコン１２４が選択されていることをコンテンツ紹介システム２２４が検出する。ステップ８０６で、第１のユーザが第１のユーザにアトリビューション（又は感謝）を与えたいかどうかを尋ねるプロンプトをコンテンツ紹介システム２２４が第２のユーザに表示する。第２のユーザがアトリビューションを与えたくない場合（ステップ８０６の「いいえ」の分岐）、リサイクルプロセスはステップ８１４で完了するまで続く。第２のユーザがアトリビューションを与えたい場合（ステップ８０６の「はい」の分岐）、ステップ８０８で、第２のユーザがコンテンツ紹介１０２に関して第１のユーザに感謝を送ったことを第１のユーザに知らせる通知を第１のユーザに伝送する。
【００６４】
[00071]  ステップ８１０でバックエンドプロセスを開始し、情報及びメタデータを記憶し、第１のユーザ、第２のユーザ、コンテンツ紹介、及び／又はコンテンツ紹介内に含まれる要素に関係する値を更新する。ステップ８１２で、元のコンテンツ紹介を識別する検索が新たに作成されるコンテンツ紹介も識別できるように、新たに作成されるコンテンツ紹介を元のコンテンツ紹介に関連付ける。この点で、両方のユーザ、両方のコンテンツ紹介、及び／又はその要素に関して他の関連付けが行われてもよい。コンテンツ紹介データベース４００、リストデータベース５００、又は別のデータベース（不図示）内で反映されるかかる関連付けを行うことにより、検索クエリに応じて返される検索結果が追加情報で補足され、検索を行っているユーザにより優れた結果及び情報を与えることができる。感謝プロセスの完了後、リサイクルプロセスを続行し、ステップ８１４で終える。
【００６５】
[00072]  第２のユーザが第１のユーザにこのやり方で感謝を与える場合、感謝プロセスは元のユーザに関しても開始できることを指摘しておく。例えば元のユーザが元のコンテンツ紹介を作成し、第１のユーザが元のコンテンツ紹介をリサイクルしてリサイクルされたコンテンツ紹介を作成し、第１のユーザによって作成されたコンテンツ紹介を第２のユーザがリサイクルする場合、第２のユーザが第１のユーザにアトリビューションを与えるとき、元のユーザにアトリビューションを与えるように感謝プロセスを開始することもできる。元のコンテンツ紹介及びリサイクルされたコンテンツ紹介の様々な脈絡に対処するために改変を加えることができる。
【００６６】
[00073]  動機を帰属させることが望ましい場合がある他の様々な脈絡が存在することを当業者なら理解されよう。動機を帰属させることはインフルエンサを識別することを助けるだけでなく、人が何故及びどの状況下で特定のアクションを行うのかを理解することを助ける。ユーザが必要とするときにユーザに関連性のある情報を提供するのを助けることにより、かかる理解はユーザのためのより優れたオンライン環境を作り出すのを助ける。
【００６７】
結論
本開示を詳細に説明してきたが、添付の特許請求の範囲によって定める本開示の趣旨及び範囲から逸脱することなしに様々な変更、置換、及び改変を加えることができることを理解すべきである。更に本願の範囲は、本明細書に記載したプロセス、機械、製造、物質組成、手段、方法、及びステップの特定の実施形態に限定されることは意図しない。当業者なら本開示から容易に理解されるように、本明細書に記載した対応する実施形態とほぼ同じ機能を実行する又はほぼ同じ結果を果たす、現在存在している又は後で開発されるプロセス、機械、製造、物質組成、手段、方法、又はステップが本開示に従って利用され得る。従って添付の特許請求の範囲が、かかるプロセス、機械、製造、物質組成、手段、方法、又はステップをその範囲に含むことを意図する。
【図１】
2021516814.tif 000003
【図２】
2021516814.tif 000004
【図３】
2021516814.tif 000005
【図４】
2021516814.tif 000006
【図５】
2021516814.tif 000007
【図６】
2021516814.tif 000008
【図７】
2021516814.tif 000009
【図８】
2021516814.tif 000010
【国際調査報告】
2021516814.tif 000011